(57)【要約】【課題】入浴中の冷風感を防止するとともに，入浴後やサウナ運転後の浴室内乾燥時の乾燥むらを抑制することできる浴室乾燥システムを提供することを目的としている。【解決手段】浴室内の洗い場方向に循環風を吹出す暖房吹出し口１２と，浴室内天井面から床面方向に壁面全体らせん状に循環風を吹出す乾燥吹出し口１７を備え、暖房時は浴室洗い場方向に吹出すことで入浴者への冷風感を防止し，乾燥時には浴室内の天井面から壁面全体に循環風を当てることで，浴室使用後の乾燥むらを防止することができる浴室乾燥システムが得られる。【選択図】図１２
2006284112.tif 000002
【特許請求の範囲】
【請求項１】
浴室の空気を循環する循環送風手段と、この循環送風手段の空気流路内の空気を加熱する加熱手段と、浴室内の空気を排気する排気送風手段と、これら循環送風手段と加熱手段と排気送風手段を制御する乾燥機制御部と、浴室乾燥機遠隔操作する遠隔操作手段を設け、浴室の壁面それぞれの天井付近に浴室乾燥機とダクトを介して循環部吹出し口を４箇所以上備えたことを特徴とする浴室乾燥システム。
【請求項２】
循環部吹出し口を浴室の壁面それぞれの床面に４箇所以上設けた請求項１記載の浴室乾燥システム。
【請求項３】
散水手段を設けた請求項１記載の浴室乾燥システム。
【請求項４】
浴室内の温度と湿度を検知する温湿度検出手段を設けた請求項３記載の浴室乾燥システム。
【請求項５】
浴室の空気を循環する循環送風手段と、この循環送風手段の空気流路内の空気を加熱する加熱手段と、浴室内の空気を排気する排気送風手段と、これら循環送風手段と加熱手段と排気送風手段を制御する乾燥機制御部と、浴室乾燥機遠隔操作する遠隔操作手段を設け、暖房時浴室下方に吹出す暖房吹出し口と乾燥時に天井面から壁面を流れるように４方向に吹出す乾燥吹出し口と手動で切換える手動切換手段を備えたことを特徴とする浴室乾燥システム。
【請求項６】
浴室乾燥機制御部によって制御可能な暖房時吹出し方向と乾燥時の吹出し方向を切換える循環部吹出し口を設けた請求項５記載の浴室乾燥システム。
【請求項７】
浴室内の壁面の温度と湿度を検知する温湿度検出手段を設けた請求項６記載の浴室乾燥システム。
【請求項８】
暖房吹出し口と、天井面から壁面にらせん状に吹出す乾燥吹出し口を設けた請求項５記載の浴室乾燥システム。
【請求項９】
浴室内の壁面の温度と湿度を検知する温湿度検出手段を設けた請求項８記載の浴室乾燥システム。
【請求項１０】
浴室の空気を循環する循環送風手段と、この循環送風手段の空気流路内の空気を加熱する加熱手段と、輻射熱を利用した輻射加熱手段と、浴室内の空気を排気する排気送風手段と、これら循環送風手段と加熱手段と輻射過熱手段と排気送風手段を制御する乾燥機制御部と、浴室乾燥機遠隔操作する遠隔操作手段を設けた浴室乾燥機と、浴室天井面、壁面に赤外線吸収素材を備えたことを特徴とする浴室乾燥システム。
【発明の詳細な説明】
【技術分野】
【０００１】
本発明は、浴室に浴室乾燥機やサウナ装置を設置した浴室乾燥システムに関する。
【背景技術】
【０００２】
従来、この種の浴室乾燥システムは、浴室乾燥機本体または、サウナ装置の暖房時の循環部温風吹出し口を乾燥時に使用するものが知られている（例えば特許文献１参照）。
【０００３】
以下、その浴室乾燥システムについて図１５および図１６を参照しながら説明する。
【０００４】
図に示すように、浴室乾燥機または、サウナ装置１００に暖房およびサウナ運転時に温風を吹出す吹出し部１０１が浴室内の洗い場の天井面に配置されている。
【０００５】
そして、吹出し口には浴室乾燥機またはサウナ装置の制御装置１０２によって制御される風口制御手段１０３を設けていた。
【特許文献１】特開２０００−５５５５０号公報
【発明の開示】
【発明が解決しようとする課題】
【０００６】
このような従来の浴室乾燥機や、サウナ装置では、浴室使用後の浴室乾燥に循環部温風吹出し方向に方向性を持った吹出し口を使用しているため、浴室内を効率的に乾燥できず、乾燥むらが発生するという課題があった。
【０００７】
本発明は、上記課題を解決するもので、乾燥時の浴室内乾燥むらを抑制する浴室乾燥システムを提供することを目的としている。
【０００８】
また、浴室内の状態に関係なく、乾燥時間はあらかじめ設定された時間運転するものが多く、乾燥が完了していても、設定された時間は乾燥運転を継続し、ランニングコストがかかるという課題があった。
【０００９】
本発明は、上記課題を解決するもので、ランニングコストを削減することのできる浴室乾燥システムを提供することを目的としている。
【課題を解決するための手段】
【００１０】
本発明の浴室乾燥システムは、上記目的を達成するために、浴室の空気を循環する循環送風手段と、この循環送風手段の空気流路内の空気を加熱する加熱手段と、浴室内の空気を排気する排気送風手段と、これら循環送風手段と加熱手段と排気送風手段を制御する乾燥機制御部と、浴室乾燥機遠隔操作する遠隔操作手段を設け、浴室の壁面それぞれの天井付近に浴室乾燥機とダクトを介して循環部吹出し口を４箇所以上備え浴室乾燥機において、浴室使用後の乾燥を短時間で行えるようにしたものである。
【００１１】
この手段により浴室内の乾燥むらを抑制し、乾燥できる浴室乾燥システムが得られる。
【００１２】
また、他の手段は、循環部吹出し口を浴室の壁面それぞれの床面に４箇所以上設けたものである。
【００１３】
この手段により浴室乾燥時の浴室内の温度むらも抑制可能な浴室乾燥システムが得られる。
【００１４】
また、他の手段は、散水手段を設けたものである。
【００１５】
この手段により、使用後の浴室の天井、壁面を洗浄、冷却可能な浴室乾燥システムが得られる。
【００１６】
また、他の手段は、浴室内の温度と湿度を検知する温湿度手段を設けたものである。
【００１７】
この手段により、浴室内が乾燥すると自動停止可能な浴室乾燥システムが得られる。
【００１８】
また、他の手段は、浴室の空気を循環する循環送風手段と、この循環送風手段の空気流路内の空気を加熱する加熱手段と、浴室内の空気を排気する排気送風手段と、これら循環送風手段と加熱手段と排気送風手段を制御する乾燥機制御部と、浴室乾燥機遠隔操作する遠隔操作手段を設け、暖房時浴室下方に吹出す暖房吹出し口と乾燥時に天井面から壁面を流れるように４方向に吹出す乾燥吹出し口と手動で切換える手動切換手段を備えたものである。
【００１９】
この手段により、暖房効率を低下させることなく、浴室乾燥可能な浴室乾燥システムが得られる。
【００２０】
また、他の手段は、浴室乾燥機制御部によって制御可能な暖房時吹出し方向と乾燥時の吹出し方向を切換える循環部吹出し口を設けたものである。
【００２１】
この手段により、暖房、乾燥時の吹出し方向を自動的に切換え可能な浴室乾燥システムが得られる。
【００２２】
また、他の手段は、上記手段に浴室内の壁面の温度と湿度を検知する温湿度手段を設けたものである。
【００２３】
この手段により、浴室乾燥運転が自動停止可能な浴室乾燥システムが得られる。
【００２４】
また、他の手段は、暖房吹出し口と、天井面から壁面にらせん状に吹出す乾燥吹出し口を設けたものである。
【００２５】
この手段により、１つの乾燥吹出し口で浴室内を効率的に乾燥可能な浴室乾燥システムが得られる。
【００２６】
また、他の手段は、上記手段に浴室内の壁面の温度と湿度を検知する温湿度検出手段を設けたものである。
【００２７】
この手段により、浴室乾燥運転が自動停止可能な浴室乾燥システムが得られる。
【００２８】
また、他の手段は、浴室の空気を循環する循環送風手段と、この循環送風手段の空気流路内の空気を加熱する加熱手段と、輻射熱を利用した輻射加熱手段と、浴室内の空気を排気する排気送風手段と、これら循環送風手段と加熱手段と輻射過熱手段と排気送風手段を制御する乾燥機制御部と、浴室乾燥機遠隔操作する遠隔操作手段を設けた浴室乾燥機と、浴室天井面、壁面に赤外線吸収素材を備えたものである。
【００２９】
この手段により、輻射熱により確実に浴室内を乾燥可能な浴室乾燥システムが得られる。
【発明の効果】
【００３０】
本発明によれば、浴室使用後の浴室内をむら無く乾燥可能な浴室乾燥システムを提供できる。
【００３１】
また、浴室乾燥時の浴室内の温度むらも抑制可能な浴室乾燥システムを提供できる。
【００３２】
また、使用後の浴室の天井、壁面を洗浄、冷却可能な浴室乾燥システムを提供できる。
【００３３】
また、乾燥運転を自動で停止可能な浴室乾燥システムを提供できる。
【００３４】
また、暖房効率を低下させることなく、乾燥可能な浴室乾燥システムを提供できる。
【００３５】
また、暖房、乾燥時の吹出し方向を自動的に切換え可能な浴室乾燥システムを提供できる。
【００３６】
また、乾燥運転の自動停止が可能な浴室乾燥システムを提供できる。
【００３７】
また、１つの乾燥吹出し口で浴室内を効率的に乾燥可能な浴室乾燥システムを提供できる。
【００３８】
また、１つの乾燥吹出し口で浴室内を効率的に乾燥、自動停止可能な浴室乾燥システムを提供できる。
【００３９】
また、確実に浴室内を乾燥可能な浴室乾燥システムを提供できる。
【発明を実施するための最良の形態】
【００４０】
本発明の請求項１記載の発明は、浴室の空気を循環する循環送風手段と、この循環送風手段の空気流路内の空気を加熱する加熱手段と、浴室内の空気を排気する排気送風手段と、これら循環送風手段と加熱手段と排気送風手段を制御する乾燥機制御部と、浴室乾燥機遠隔操作する遠隔操作手段を設け、浴室の壁面それぞれの天井付近に浴室乾燥機とダクトを介して循環部吹出し口を４箇所以上備えたものであり、循環送風手段から送風される空気が天井面から床面に向かって浴室壁面を添うように流れるため、浴室内の乾燥むらを抑制し、乾燥できるという作用を有する。
【００４１】
また、請求項２記載の発明は、循環部吹出し口を浴室の壁面それぞれの床面に４箇所以上設けたものであり、循環送風手段から送風される空気が床面から天井面に向かって浴室壁面を添うように流れるため、浴室乾燥時の浴室内の温度むらも抑制できるという作用を有する。
【００４２】
また、請求項３記載の発明は、散水手段を設けたものものであり、使用後の浴室壁面、床面へ水を散布するため、使用後の浴室の天井、壁面を洗浄、冷却できるという作用を有する。
【００４３】
また、請求項４記載の発明は、浴室内の温度と湿度を検知する温湿度検出手段を設けたものであり、設定された温度、湿度の条件達すると停止できるため、浴室乾燥運転が自動停止可能とうい作用を有する。
【００４４】
また、請求項５記載の発明は、浴室の空気を循環する循環送風手段と、この循環送風手段の空気流路内の空気を加熱する加熱手段と、浴室内の空気を排気する排気送風手段と、これら循環送風手段と加熱手段と排気送風手段を制御する乾燥機制御部と、浴室乾燥機遠隔操作する遠隔操作手段を設け、暖房時浴室下方に吹出す暖房吹出し口と乾燥時に天井面から壁面を流れるように４方向に吹出す乾燥吹出し口と手動で切換える手動切換手段を備えたものであり、暖房時の吹出し方向と乾燥時の吹出し方向を可変できるため、暖房効率を低下させることなく浴室乾燥可能という作用を有する。
【００４５】
また、請求項６記載の発明は、浴室乾燥機制御部によって制御可能な暖房時吹出し方向と乾燥時の吹出し方向を切換える循環部吹出し口を設けたものであり、遠隔操作手段の操作により暖房時の吹出し方向と乾燥時の吹出し方向を可変できるため、暖房、乾燥時の吹出し方向を自動的に切換え可能という作用を有する。
【００４６】
また、請求項7記載の発明は、浴室内の壁面の温度と湿度を検知する温湿度検出手段を設けたものであり、設定された温度、湿度の条件達すると停止できるため、乾燥運転の自動停止が可能という作用を有する。
【００４７】
また、請求項８記載の発明は、請求項５記載の発明に暖房吹出し口と、天井面から壁面にらせん状に吹出す乾燥吹出し口を設けたものであり、循環送風手段から送風される空気を浴室内壁面全体をらせん状に送風するため、１つの乾燥吹出し口で浴室内を効率的に乾燥可能とうい作用を有する。
【００４８】
また、請求項９記載の発明は、請求項８記載の発明に浴室内の壁面の温度と湿度を検知する温湿度検出手段を設けたものであり、設定された温度、湿度の条件達すると停止できるため、１つの乾燥吹出し口で浴室内を効率的に乾燥、自動停止可能という作用を有する。
【００４９】
また、請求項１０記載の発明は、浴室の空気を循環する循環送風手段と、この循環送風手段の空気流路内の空気を加熱する加熱手段と、輻射熱を利用した輻射加熱手段と、浴室内の空気を排気する排気送風手段と、これら循環送風手段と加熱手段と輻射過熱手段と排気送風手段を制御する乾燥機制御部と、浴室乾燥機遠隔操作する遠隔操作手段を設けた浴室乾燥機と、浴室天井面、壁面に赤外線吸収素材を備えたものであり、浴室天井面、壁面が輻射熱を吸収して付着して水分を蒸発するため、確実に浴室内を乾燥可能可能とうい作用を有する。
【００５０】
以下、本発明の実施形態について図面を参照しながら説明する。
【００５１】
（実施の形態１）
図１〜図２に示すように、浴室の天井に設置した浴室乾燥機１内に、浴室内の空気を循環送風するための循環送風手段２と、この循環送風手段２の空気流路上に設け、浴室内の循環する空気を加熱するように設けられた加熱手段３と、浴室内の空気を排気する排気送風手段４と、これら循環送風手段２、加熱手段３、排気送風手段４を制御する乾燥機制御部５と、この浴室乾燥機の運転制御を行うための遠隔操作手段６を設けている。
【００５２】
また、浴室内に空気を循環送風するための循環部吹出し部７を浴室壁面の天井部４箇所に浴室乾燥機１とダクと８にて接続される形で設け、浴室内の空気を排気する排気部９を設けている。
【００５３】
１例として、循環送風手段２としては、浴室内の空気を循環送風できればよく、例えば送風機等がある。
【００５４】
加熱手段３としては、浴室内を循環する空気を加熱できればよく、例えば、温水コイル、電気式のＰＴＣヒーター、輻射ヒーター等がある。
【００５５】
排気送風手段４としては、浴室内の空気を浴室外に排気できればよく、例えば送風機等がある。
【００５６】
乾燥機制御部５としては、浴室乾燥機内の各手段を制御できればよく、例えばマイクロコンピューターを用いたものがある。
【００５７】
遠隔操作手段６としては、浴室乾燥機の運転、停止等の操作が行えればよく、例えば、赤外線を利用したワイヤレスリモコン、乾燥機制御部とケーブルで接続された、ワイヤードリモコン等がある。
【００５８】
循環部吹出し部７としては、浴室へ循環送風手段から送風される空気を吹出せればよく、樹脂等で形成されたグリル等がある。
【００５９】
ダクト８としては、循環送風される空気を浴室乾燥機から循環部吹出し部へ送風できればよく、例えば、樹脂配管、フレキシブル配管等がある。
【００６０】
排気部９としては、浴室内の空気を吸い込むことができればよく、例えば、ほこり等を遮断するフィル−ターを設けたグリル等がある。
【００６１】
上記構成により、入浴後、またはサウナ運転後に浴室内を乾燥するための乾燥運転信号として、遠隔操作手段６を操作して乾燥運転信号を浴室乾燥機制御部５へ送信する。そして、この浴室乾燥機制御部５がその信号を受信すると、浴室乾燥機１は浴室内の空気を加熱するために、加熱手段３により加熱された空気を循環送風手段２によって送風し、ダクト８を介して循環部吹出し部７から、浴室内への送風を開始すると同時に、排気送風手段４の運転が開始され、排気部９より浴室内の湿度の多い空気の排気を開始する。
【００６２】
そして、加熱された空気は循環部吹出し部７から浴室壁面を浴室床面方向に流れ、浴室床面中央部から、排気部９に向かって流れる。こうすることにより、加熱された空気が浴室壁面、床面全体にむらなく行き渡らせるようにでき、乾燥時間を短縮することができる。
【００６３】
なお、本実施の形態１では、浴室乾燥機１と循環部吹出し部７をダクト接続としたが、浴室壁面の天井部４箇所に循環部吹出し部７を設けることが可能であれば、本体と一体的に設けても同様の作用効果をもたらすことは言うまでもない。
【００６４】
（実施の形態２）
図３に示すように、循環部吹出し部７Ａを浴室壁面下部４箇所に設け、浴室乾燥機１とダクト８Ａと接続される形で設けた構成とする。
【００６５】
上記構成により、乾燥運転を行うときには、遠隔操作手段６を操作することで、乾燥運転を開始し、浴室内の乾燥を開始する。
【００６６】
この時、循環部吹出し部７Ａから加熱された空気を浴室壁面下部から、天井面を通り、排気部９Ａに向かって流れる。こうすることにより、加熱された空気が浴室天井面も含め、むらなく行き渡らせるようにでき、乾燥時間を短縮することができる。
【００６７】
（実施の形態３）
図４に示すように、浴室乾燥機制御部５Ａと接続される浴室内に水を散布する散水手段１０を設け、浴室乾燥機１Ａを構成する。
【００６８】
１例として、散水手段１０としては、浴室内の壁面、天井面等に水を散布できればよく、例えば、電磁弁等を用いた給水弁がある。
【００６９】
上記構成により、乾燥運転を行うときには、遠隔操作手段６を操作することで、乾燥運転を開始し、浴室内の乾燥を開始する。
【００７０】
この時、散水手段１０により浴室内全体に水を散布し、浴室内の壁面、天井面に付着した、カビの発生原因となる、石鹸かす等を洗い流す。その後、加熱手段３によって加熱された空気を循環送風手段２で送風を開始し、循環部吹出し口７より浴室内にむらなく行き渡らせると同時に、排気送風手段４の運転が開始され、排気部９より浴室内の湿度の多い空気の排気を開始することで、カビの発生原因となる物質も除去できる浴室乾燥ができることになる。
【００７１】
（実施の形態４）
図５に示すように、浴室乾燥機制御部５Ｂと接続される浴室内の温度と湿度を検出する、温湿度検出手段１１を水分が残留しやすい場所に設け、浴室乾燥機１Ｂを構成する。
【００７２】
１例として、温湿度検出手段１１としては、浴室内の温度と湿度を検出できればよく、例えば、温度検出としてサーミスター、湿度検出として水分の付着量に応じてインピーダンスが可変する湿度センサー等がある。
【００７３】
上記構成により、乾燥運転を行うときには、遠隔操作手段６を操作することで、乾燥運転を開始し、浴室内の乾燥を開始する。
【００７４】
そして、温湿度検出手段１１によって検出される、温度、湿度の変化量が少なくなると、浴室内が乾燥したと判断し、乾燥運転を自動的に停止することができる。
【００７５】
なお、本実施形態４では、温湿度検出手段１１を浴室壁面と床面のコーナー部としたが、水分が残留しやすい場所であれば他の部分でも同様の作用効果をもたらすことはいうまでもない。
【００７６】
（実施の形態５）
図６、図７、図８に示すように、暖房時には浴室洗い場の床面方向に吹出す暖房吹出し口１２と、乾燥時に天井面から壁面を加熱された空気が４方向に流れるように吹出す乾燥吹出し口１３を手動で切換える手動切換え手段１４で構成する。
【００７７】
１例として、暖房吹出し口１２としては、浴室洗い場方向に吹出し、浴室使用者へ冷風感を与えなければよく、風口制御ルーバー等を用いたものでもよい。
【００７８】
乾燥吹出し口１３としては、浴室の壁面方向に循環送風されれば、どのような吹出し口でもよい。
【００７９】
手動切換え手段１４としては、暖房時と乾燥時の吹出し口の設定を手動で可変できればよく、切換えレバー等がある。
【００８０】
上記構成により、暖房運転時には、手動切換え手段１４により暖房吹出し口１２より加熱された空気が送風されるように設定し、遠隔操作手段６を操作することで、図７に示すように、洗い場床面を中心として入浴に最適な環境となるように、暖房運転を開始する。
【００８１】
そして、入浴後の乾燥運転時には、手動切換え手段１４により４方向に乾燥吹出し口１３より加熱された空気が送風されるように設定し、遠隔操作手段７を操作することで、乾燥運転が開始され、図８に示すように、天井面から壁面を加熱された空気が流れ、浴室が乾燥されるため、入浴時の暖房でも冷風感や不快感を防止でき、浴室内の乾燥も効率よく行うことができる。
【００８２】
（実施の形態６）
図９に示すように、を浴室乾燥機制御部５Ｄによって制御する、循環部吹出し部可変手段１５により、暖房時と乾燥時の吹出し方向を切換え可能な循環部吹出し部１６により構成する。
【００８３】
１例として、循環部吹出し部可変手段１５としては、暖房時と乾燥時に吹出し方向を可変できればよく、電動式ダンパー等がある。
【００８４】
循環部吹出し部１６としては、暖房時には浴室洗い場方向に吹出し、浴室使用者へ冷風感を与えなければよく乾燥時には浴室の壁面方向に循環送風できるように吹出し方向が可変できればどのような吹出し口でもよい。
【００８５】
上記構成により、暖房運転時には、遠隔操作手段６を操作することで、浴室乾燥機制御部５Ｄにより循環部吹出し部可変手段１５を介して加熱された空気が洗い場床面を中心に送風されるように循環部吹出し部１６を可変し、入浴に最適な環境となるように、暖房運転を開始する。
【００８６】
そして、入浴後の乾燥運転時には、遠隔操作手段６を操作することで、浴室乾燥機制御部５Ｄにより循環部吹出し部可変手段１５を介して加熱された空気が４方向の天井面から壁面を流れるように循環部吹出し部１６を可変し、乾燥運転が開始されることで使用者が切換え操作をすることなく、自動で暖房時と乾燥時に最適な風路とすることができる。
【００８７】
（実施の形態7）
図１０に示すように、浴室内の水分が残留しやすい場所に設けた温度と湿度を検出する、温湿度検出手段１１を浴室乾燥機制御部５Ｅによって制御するように構成する。
【００８８】
上記構成において、遠隔操作手段６の操作に応じ、循環部吹出し部１６を可変できる。
【００８９】
そして、乾燥運転時には、温湿度検出手段１１によって検出される、温度、湿度の変化量が少なくなると、浴室内が乾燥したと判断し、乾燥運転を自動的に停止することができることにより、自動で暖房時と乾燥時に最適な風路とすることができるとともに、乾燥運転のランニングコストを低減することができる。
【００９０】
（実施の形態８）
図１１、図１２に示すように、暖房時には浴室洗い場の床面方向に吹出す暖房吹出し口１２と、乾燥時に天井面から４方向の壁面らせん状に床面まで加熱された空気が吹出す乾燥吹出し口１７を手動で切換える手動切換え手段１８で構成する。
【００９１】
１例として、乾燥吹出し口１７としては、循環送風される空気が浴室天井面から、床面までの壁面をらせん状に流れればどのような吹出し口でもよい。
【００９２】
手動切換え手段１８としては、暖房時と乾燥時の吹出し口の設定を手動で可変できればよく、切換えレバー等がある。
【００９３】
上記構成により、暖房運転時には、手動切換え手段１８により暖房吹出し口１２より加熱された空気が送風されるように設定し、遠隔操作手段６を操作することで、洗い場床面を中心として入浴に最適な環境となるように、暖房運転を開始する。
【００９４】
そして、入浴後の乾燥運転時には、図１２に示すように、手動切換え手段１８により乾燥吹出し口１７より加熱された空気が送風されるように設定し、遠隔操作手段６を操作することで、乾燥運転が開始され、天井面から壁面をらせん状に加熱された空気が流れ、浴室が乾燥されるため、浴室乾燥機１Ｅの循環部風路構成を簡略化でき、入浴時の暖房でも冷風感や不快感を防止でき、浴室内の乾燥も効率よく行うことができる。
【００９５】
（実施の形態９）
図１３に示すように、暖房時には浴室洗い場の床面方向に吹出し、乾燥時に天井面から４方向の壁面らせん状に床面まで加熱された空気が吹出す、吹出し方向が切換え可能な循環部吹出し口１９を循環部吹出し部可変手段２０を介して浴室乾燥機制御部５Ｆによって制御するように構成する。
【００９６】
１例として、循環部吹出し口１９としては、暖房時には浴室洗い場方向に吹出し、浴室使用者へ冷風感を与えなければよく乾燥時には循環送風される空気が浴室天井面から、床面までの壁面をらせん状に流れるように切換え可能であればどのような吹出し口でもよい。
【００９７】
循環部吹出し部可変手段２０としては、暖房時と乾燥時に吹出し方向を可変できればよく、電動式ダンパー等がある。
【００９８】
上記構成により、暖房運転時には、遠隔操作手段６を操作することで、加熱された空気が洗い場床面を中心に送風されるように循環部吹出し口１９を可変し、入浴に最適な環境となるように、暖房運転を開始する。
【００９９】
そして、入浴後の乾燥運転時には、遠隔操作手段６を操作することで、加熱された空気が天井面から壁面をらせん状に流れ、浴室が乾燥されるため、浴室乾燥機１Ｆの循環部風路構成を簡略化でき、自動で暖房時と乾燥時に最適な風路とすることができる。
【０１００】
（実施の形態１０）
図１４に示すように、浴室の空気を循環する循環送風手段２と、この循環送風手段２の空気流路内の空気を加熱する加熱手段３と、輻射熱を利用した輻射加熱手段２１と、浴室内の空気を排気する排気送風手段４と、これら循環送風手段２と加熱手段３と輻射過熱手段２１と排気送風手段４を制御する乾燥機制御部５Ｇと、浴室乾燥機遠隔操作する遠隔操作手段６を設けた浴室乾燥機１Ｇと、浴室天井面、壁面に赤外線吸収素材で形成された浴室２２に設けた構成とする。
【０１０１】
１例として、輻射過熱手段２１としては、輻射熱を放出できればよく、例えば、電気式のハロゲンひーター等がある。
【０１０２】
浴室２２としては、浴室を構成している部分が赤外線を吸収できればよく、赤外線吸収率の高い樹脂、塗料、金属等がある。
【０１０３】
上記構成により、入浴後、またはサウナ運転後に浴室２２を乾燥するための乾燥運転信号として、遠隔操作手段６を操作して乾燥運転信号を浴室乾燥機制御部５Ｇへ送信する。そして、この浴室乾燥機制御部５Ｇがその信号を受信すると、浴室乾燥機１Ｇは浴室内の空気を加熱するために、加熱手段３により加熱された空気を循環送風手段２によって浴室内への送風を開始すると同時に、輻射加熱手段２１加熱と、排気送風手段４の運転が開始され、排気部９より浴室内の湿度の多い空気の排気を開始する。
【０１０４】
そして、浴室２２の天井面、壁面、床面は輻射熱吸収素材で形成されているため、輻射加熱手段２１の加熱により、熱を吸収し、浴室２２に付着した残留水分も加熱され、蒸発することにより、確実に浴室２２内の乾燥時間を短縮することができる。
【産業上の利用可能性】
【０１０５】
浴室サウナ、暖房、乾燥、換気分野などにも応用できる。
【図面の簡単な説明】
【０１０６】
【図１】本発明の実施の形態１の浴室乾燥システムの構成を示すブロック図
【図２】同浴室乾燥システムの上方から見た構成を示すブロック図
【図３】本発明の実施の形態２の浴室乾燥システムの構成を示すブロック図
【図４】本発明の実施の形態３の浴室乾燥システムの構成を示すブロック図
【図５】本発明の実施の形態４の浴室乾燥システムの構成を示すブロック図
【図６】本発明の実施の形態５の浴室乾燥システムの構成を示すブロック図
【図７】同暖房運転時の浴室内空気の流れを示すブロック図
【図８】同乾燥運転時の浴室内の空気の流れを示すブロック図
【図９】本発明の実施の形態６の浴室乾燥システムの構成を示すブロック図
【図１０】本発明の実施の形態７の浴室乾燥システムの構成を示すブロック図
【図１１】本発明の実施の形態８の浴室乾燥システムの構成を示すブロック図
【図１２】同同乾燥運転時の浴室内の空気の流れを示すブロック図
【図１３】本発明の実施の形態９の浴室乾燥システムの構成を示すブロック図
【図１４】本発明の実施の形態１０の浴室乾燥システムの構成を示すブロック図
【図１５】従来の浴室乾燥機、サウナ装置の設置状態を示す斜視図
【図１６】同浴室乾燥機、サウナ装置の循環部温風吹出し方向を示す図
【符号の説明】
【０１０７】
１      浴室乾燥機
１Ａ    浴室乾燥機
１Ｂ    浴室乾燥機
１Ｃ    浴室乾燥機
１Ｄ    浴室乾燥機
１Ｅ    浴室乾燥機
１Ｆ    浴室乾燥機
１Ｇ    浴室乾燥機
２      循環送風手段
３      加熱手段
４      排気送風手段
５      乾燥機制御部
５Ａ    乾燥機制御部
５Ｂ    乾燥機制御部
５Ｃ    乾燥機制御部
５Ｄ    乾燥機制御部
５Ｅ    乾燥機制御部
５Ｆ    乾燥機制御部
５Ｇ    乾燥機制御部
６      遠隔操作手段
７      循環部吹出し部
７Ａ    循環部吹出し部
８      ダクト
８Ａ    ダクト
９      排気部
９Ａ    排気部
１０    散水手段
１１    温湿度検出手段
１２    暖房吹出し口
１３    乾燥吹出し口
１４    手動切換え手段
１５    循環部吹出し口可変手段
１６    循環部吹出し口
１７    乾燥吹出し口
１８    手動切換え手段
１９    循環部吹出し口
２０    循環部吹出し口切換え手段
２１    輻射過熱手段
２２    浴室
【図１】
2006284112.tif 000003
【図２】
2006284112.tif 000004
【図３】
2006284112.tif 000005
【図４】
2006284112.tif 000006
【図５】
2006284112.tif 000007
【図６】
2006284112.tif 000008
【図７】
2006284112.tif 000009
【図８】
2006284112.tif 000010
【図９】
2006284112.tif 000011
【図１０】
2006284112.tif 000012
【図１１】
2006284112.tif 000013
【図１２】
2006284112.tif 000014
【図１３】
2006284112.tif 000015
【図１４】
2006284112.tif 000016
【図１５】
2006284112.tif 000017
【図１６】
2006284112.tif 000018